(57)【要約】【課題】処理対象のＲＦＩＤタグを選定する。【解決手段】パソコン７は、センサ６ａ、６ｂと接続され、センサ６ａからの検知信号を受け付けて、リーダ・ライタ４に対して、ＲＦＩＤタグ３に認証情報を送信させるための要求信号を送信する要求信号送信手段と、リーダ・ライタ４に要求信号を送信してからＲＦＩＤタグ３からの認証情報を受け付けるまでの通信時間について、通信時間の時間的範囲を設定した時間的範囲情報７３ｇと、通信時間を計測する通信時間計測手段と、計測した通信時間が前記時間的範囲であるＲＦＩＤタグ３を処理対象に選定する認証タグ選定手段とを備え、リーダ・ライタ４は、パソコン７からの要求信号を受け付けて、ＲＦＩＤタグ３へ要求信号を送信する要求信号送信手段と、ＲＦＩＤタグ３からの要求信号に対する認証情報を受け付けて、認証情報をパソコン７に送信する認証情報受信手段を備えた。【選択図】図１
2008243091.tif 000002
【特許請求の範囲】
【請求項１】
物品又は物品を収納した包装体に添付される電波を利用する複数の認証タグと、アンテナを介して無線通信を行う無線端末に、情報処理装置を接続することによって、前記認証タグの中から目的とする前記認証タグを選定する認証タグ選定システムであって、
前記情報処理装置は、前記無線端末に対して、前記認証タグに当該認証情報を送信させるための要求信号を送信する要求信号送信手段と、
前記無線端末に前記要求信号を送信してから前記認証タグからの前記認証情報を受け付けるまでの通信時間について、該通信時間の時間的範囲を設定した時間的範囲情報と、
前記通信時間を計測する通信時間計測手段と、
計測した前記通信時間が前記時間的範囲である当該認証タグを前記処理対象に選定する認証タグ選定手段とを備えることを特徴とする認証タグ選定システム。
【請求項２】
前記アンテナは、前記物品の所定の通過位置の近辺の複数箇所に設置されることを特徴とする請求項１記載の認証タグ選定システム。
【請求項３】
前記情報処理装置は、前記物品の通過を検知して、該検知信号を送信する検知信号送信手段を備えたセンサと接続され、
前記要求信号送信手段は、前記センサからの前記検知信号を受け付けることを特徴とする請求項１又は２記載の認証タグ選定システム。
【請求項４】
前記無線端末は、前記情報処理装置からの前記要求信号を受け付けて、前記認証タグへ前記要求信号を送信する要求信号送信手段と、
認証タグからの前記要求信号に対する前記認証情報を受け付けて、該認証情報を前記情報処理装置に送信する認証情報受信手段とを備えることを特徴とする請求項１乃至３の何れか１に記載の認証タグ選定システム。
【請求項５】
前記センサは、前記検知の開始位置及び終了位置に設置される開始検知センサ及び終了検知センサを有し、
前記情報処理装置は、前記センサからのそれぞれの開始検知時刻及び終了検知時刻を前記時間的範囲情報の当該時間的範囲時刻に設定する時間的範囲時刻設定手段を備え、
前記要求信号送信手段は、前記要求信号を送信する際に当該送信時刻を付加し、
前記認証情報受信手段は、前記認証情報を受信する際に当該受信時刻を付加し、
前記認証タグ選定手段は、前記送信時刻及び前記受信時刻が前記時間的範囲時刻である当該認証タグを前記処理対象に選定することを特徴とする請求項３又は４記載の認証タグ選定システム。
【請求項６】
物品又は物品を収納した包装体に添付される電波を利用する複数の認証タグと、アンテナを介して無線通信を行う無線端末に接続される認証タグ選定システムに利用され、前記認証タグの中から目的とする前記認証タグを選定する情報処理装置であって、
前記無線端末に対して、前記認証タグに当該認証情報を送信させるための要求信号を送信する要求信号送信手段と、
前記無線端末に前記要求信号を送信してから前記認証タグからの前記認証情報を受け付けるまでの通信時間について、該通信時間の時間的範囲を設定した時間的範囲情報と、
前記通信時間を計測する通信時間計測手段と、
計測した前記通信時間が前記時間的範囲である当該認証タグを前記処理対象に選定する認証タグ選定手段とを備えることを特徴とする情報処理装置。
【請求項７】
前記アンテナは、前記物品の所定の通過位置の近辺の複数箇所に設置されることを特徴とする請求項６記載の情報処理装置。
【請求項８】
前記物品の通過を検知して、該検知信号を送信する検知信号送信手段を備えたセンサと接続され、
前記要求信号送信手段は、前記センサからの前記検知信号を受け付けることを特徴とする請求項６又は７記載の情報処理装置。
【請求項９】
前記センサは、前記検知の開始位置及び終了位置に設置される開始検知センサ及び終了検知センサを有し、
前記センサからのそれぞれの開始検知時刻及び終了検知時刻を前記時間的範囲情報の当該時間的範囲時刻に設定する時間的範囲時刻設定手段を備え、
前記認証タグ選定手段は、前記送信時刻及び前記受信時刻が前記時間的範囲時刻である当該認証タグを前記処理対象に選定することを特徴とする請求項８記載の情報処理装置。
【請求項１０】
物品又は物品を収納した包装体に添付される電波を利用する複数の認証タグと、アンテナを介して無線通信を行う無線端末に、情報処理装置を接続する認証タグ選定システムに利用され、前記認証タグの中から目的とする前記認証タグを選定する認証タグ選定方法であって、
前記無線端末に前記認証タグに当該認証情報を送信させるための要求信号を送信してから前記認証タグからの前記認証情報を受け付けるまでの通信時間について、予め、該通信時間の時間的範囲を設定した時間的範囲情報を前記情報処理装置に登録する通信時間登録ステップと、
前記無線端末に対して、前記要求信号を送信する要求信号送信ステップと、
前記通信時間を計測する通信時間計測ステップと、
計測した前記通信時間が前記時間的範囲である当該認証タグを前記処理対象に選定する認証タグ選定ステップとを有することを特徴とする認証タグ選定方法。
【請求項１１】
前記アンテナは、前記物品の所定の通過位置の近辺の複数箇所に設置されることを特徴とする請求項１０記載の認証タグ選定方法。
【請求項１２】
前記情報処理装置は、センサと接続され、
前記物品の通過を検知して、該検知信号を送信する検知信号送信ステップを有し、
前記要求信号送信ステップは、前記センサからの前記検知信号を受け付けることを特徴とする請求項１０又は１１記載の認証タグ選定方法。
【請求項１３】
前記情報処理装置からの前記要求信号を受け付けて、前記認証タグへ前記要求信号を送信する要求信号送信ステップと、
認証タグからの前記要求信号に対する前記認証情報を受け付けて、該認証情報を前記情報処理装置に送信する認証情報受信ステップとを有することを特徴とする請求項１０乃至１２の何れか１に記載の認証タグ選定方法。
【請求項１４】
前記検知の開始位置及び終了位置を検知する開始検知ステップ及び終了検知ステップと、
前記センサからのそれぞれの開始検知時刻及び終了検知時刻を前記時間的範囲情報の当該時間的範囲時刻に設定する時間的範囲時刻設定ステップとを有し、
前記認証タグ選定ステップは、前記送信時刻及び前記受信時刻が前記時間的範囲時刻である当該認証タグを前記処理対象に選定することを特徴とする請求項１２又は１３記載の認証タグ選定方法。
【請求項１５】
コンピュータに請求項１０乃至１４の何れか１に記載の認証タグ選定方法を実行させることを特徴とする認証タグ選定プログラム。
【発明の詳細な説明】
【技術分野】
【０００１】
本発明は、認証タグ選定システム及び該システムに用いられる情報処理装置、認証タグ選定方法、認証タグ選定プログラムに関し、詳しくは、物品又は物品を収納した包装体に添付される電波を利用する複数の認証タグと、アンテナを介して無線通信を行う無線端末に、情報処理装置を接続することによって、前記認証タグの中から目的とする前記認証タグを選定することを内容とする。
【背景技術】
【０００２】
製造ライン等にＲＦＩＤ(Radio Frequency Identification)タグを用いた通信装置を導入した場合、台車や台車に積載された物品等に電波が反射して、製造ライン以外に電波が放射する場合があり、場合によっては、製造ラインで通過待ちの他の台車の物品や製造ライン以外の物品等に添付した処理対象以外のＲＦＩＤタグと通信して処理対象となる問題が発生しており、台車に積載された物品が製造ラインを通過する際に、処理対象の物品に添付したＲＦＩＤタグのみを選定する方法が望まれていた。
【０００３】
この種の従来技術としては、特許文献１や特許文献２等に記載のものが開示されている。まず、特許文献１に記載の「質問機及び判定時間の設定方法」は、予め、ＲＦＩＤのリーダ装置からＩＣ(Integrated Circuit)タグまでの距離から算出した電波の往復所要時間である判定時間と、ＲＦＩＤのリーダ装置からの要求電波をＩＣタグに送信した時点からＲＦＩＤのリーダ装置がＩＣタグからの応答電波を受信した時点までの応答時間とを比較することによって、判定時間より短い応答時間のＩＣタグを選別対象のＩＣタグとすることができる構成になっている。
【０００４】
次に、特許文献２に記載の「情報処理装置、情報処理方法、反射体、および通信システム」は、ＲＦＩＤタグの位置を検出し、そのＲＦＩＤタグが所定の位置に存在するか否かを判断することでデータ部の解析／書き換え等の処理を行うべき処理対象のＲＦＩＤタグであるか否かを分別することができる構成になっている。
【特許文献１】特開２００６−２４５６３４号公報
【特許文献２】特開２００６−２８４５５７号公報
【発明の開示】
【発明が解決しようとする課題】
【０００５】
しかしながら、上記特許文献１や特許文献２にも不都合な点があり、特許文献１においては、製造ライン等では、アンテナから電波を送信するＲＦＩＤのリーダ装置からＩＣタグが添付される荷物までの距離が常に一定に保たれていない場合は、その都度、ＲＦＩＤのリーダ装置の距離を設定するのは煩雑であり、運用上の問題があった。
【０００６】
また、特許文献２においては、処理を行うべき処理対象のＲＦＩＤタグであるか否かを分別する際に、取得したＲＦＩＤタグの位置情報が流動的な場合は、処理を行うべき処理対象のＲＦＩＤタグであるか否かを分別するのは容易ではないといった問題が発生していた。
【０００７】
本発明は、上述した事情に鑑みてなされたものであり、上述のような問題を解決することができる認証タグ選定システム及び該システムに用いられる情報処理装置、認証タグ選定方法、認証タグ選定プログラムを提供することを目的とする。
【課題を解決するための手段】
【０００８】
上記課題を解決するために、請求項１記載の発明は、物品又は物品を収納した包装体に添付される電波を利用する複数の認証タグと、アンテナを介して無線通信を行う無線端末に、情報処理装置を接続することによって、前記認証タグの中から目的とする前記認証タグを選定する認証タグ選定システムに係り、前記情報処理装置は、前記無線端末に対して、前記認証タグに当該認証情報を送信させるための要求信号を送信する要求信号送信手段と、前記無線端末に前記要求信号を送信してから前記認証タグからの前記認証情報を受け付けるまでの通信時間について、該通信時間の時間的範囲を設定した時間的範囲情報と、前記通信時間を計測する通信時間計測手段と、計測した前記通信時間が前記時間的範囲である当該認証タグを前記処理対象に選定する認証タグ選定手段とを備えることを特徴としている。
【０００９】
また、請求項２記載の発明は、請求項１記載の認証タグ選定システムに係り、前記アンテナは、前記物品の所定の通過位置の近辺の複数箇所に設置されることを特徴としている。
【００１０】
また、請求項３記載の発明は、請求項１又は２記載の認証タグ選定システムに係り、前記情報処理装置は、前記物品の通過を検知して、該検知信号を送信する検知信号送信手段を備えたセンサと接続され、前記要求信号送信手段は、前記センサからの前記検知信号を受け付けることを特徴としている。
【００１１】
また、請求項４記載の発明は、請求項１乃至３の何れか１に記載の認証タグ選定システムに係り、前記無線端末は、前記情報処理装置からの前記要求信号を受け付けて、前記認証タグへ前記要求信号を送信する要求信号送信手段と、認証タグからの前記要求信号に対する前記認証情報を受け付けて、該認証情報を前記情報処理装置に送信する認証情報受信手段とを備えることを特徴としている。
【００１２】
また、請求項５記載の発明は、請求項３又は４記載の認証タグ選定システムに係り、前記センサは、前記検知の開始位置及び終了位置に設置される開始検知センサ及び終了検知センサを有し、前記情報処理装置は、前記センサからのそれぞれの開始検知時刻及び終了検知時刻を前記時間的範囲情報の当該時間的範囲時刻に設定する時間的範囲時刻設定手段を備え、前記要求信号送信手段は、前記要求信号を送信する際に当該送信時刻を付加し、前記認証情報受信手段は、前記認証情報を受信する際に当該受信時刻を付加し、前記認証タグ選定手段は、前記送信時刻及び前記受信時刻が前記時間的範囲時刻である当該認証タグを前記処理対象に選定することを特徴としている。
【００１３】
また、請求項６記載の発明は、物品又は物品を収納した包装体に添付される電波を利用する複数の認証タグと、アンテナを介して無線通信を行う無線端末に接続される認証タグ選定システムに利用され、前記認証タグの中から目的とする前記認証タグを選定する情報処理装置に係り、前記無線端末に対して、前記認証タグに当該認証情報を送信させるための要求信号を送信する要求信号送信手段と、前記無線端末に前記要求信号を送信してから前記認証タグからの前記認証情報を受け付けるまでの通信時間について、該通信時間の時間的範囲を設定した時間的範囲情報と、前記通信時間を計測する通信時間計測手段と、計測した前記通信時間が前記時間的範囲である当該認証タグを前記処理対象に選定する認証タグ選定手段とを備えることを特徴としている。
【００１４】
また、請求項７記載の発明は、請求項６記載の情報処理装置に係り、前記アンテナは、前記物品の所定の通過位置の近辺の複数箇所に設置されることを特徴としている。
【００１５】
また、請求項８記載の発明は、請求項６又は７記載の情報処理装置係り、前記物品の通過を検知して、該検知信号を送信する検知信号送信手段を備えたセンサと接続され、前記要求信号送信手段は、前記センサからの前記検知信号を受け付けることを特徴としている。
【００１６】
また、請求項９記載の発明は、請求項８記載の情報処理装置に係り、前記センサは、前記検知の開始位置及び終了位置に設置される開始検知センサ及び終了検知センサを有し、前記センサからのそれぞれの開始検知時刻及び終了検知時刻を前記時間的範囲情報の当該時間的範囲時刻に設定する時間的範囲時刻設定手段を備え、前記認証タグ選定手段は、前記送信時刻及び前記受信時刻が前記時間的範囲時刻である当該認証タグを前記処理対象に選定することを特徴としている。
【００１７】
また、請求項１０記載の発明は、物品又は物品を収納した包装体に添付される電波を利用する複数の認証タグと、アンテナを介して無線通信を行う無線端末に接続される認証タグ選定システムに利用され、前記認証タグの中から目的とする前記認証タグを選定する認証タグ選定方法に係り、前記無線端末に前記認証タグに当該認証情報を送信させるための要求信号を送信してから前記認証タグからの前記認証情報を受け付けるまでの通信時間について、予め、該通信時間の時間的範囲を設定した時間的範囲情報を前記情報処理装置に登録する通信時間登録ステップと、前記無線端末に対して、前記要求信号を送信する要求信号送信ステップと、前記通信時間を計測する通信時間計測ステップと、計測した前記通信時間が前記時間的範囲である当該認証タグを前記処理対象に選定する認証タグ選定ステップとを有することを特徴としている。
【００１８】
また、請求項１１記載の発明は、請求項１０記載の認証タグ選定方法に係り、前記アンテナは、前記物品の所定の通過位置の近辺の複数箇所に設置されることを特徴としている。
【００１９】
また、請求項１２記載の発明は、請求項１０又は１１記載の認証タグ選定方法に係り、前記情報処理装置は、センサと接続され、前記物品の通過を検知して、該検知信号を送信する検知信号送信ステップを有し、前記要求信号送信ステップは、前記センサからの前記検知信号を受け付けることを特徴としている。
【００２０】
また、請求項１３記載の発明は、請求項１０乃至１２の何れか１に記載の認証タグ選定方法に係り、前記情報処理装置からの前記要求信号を受け付けて、前記認証タグへ前記要求信号を送信する要求信号送信ステップと、認証タグからの前記要求信号に対する前記認証情報を受け付けて、該認証情報を前記情報処理装置に送信する認証情報受信ステップとを有することを特徴としている。
【００２１】
また、請求項１４記載の発明は、請求項１２又は１３記載の認証タグ選定方法に係り、前記検知の開始位置及び終了位置を検知する開始検知ステップ及び終了検知ステップと、前記センサからのそれぞれの開始検知時刻及び終了検知時刻を前記時間的範囲情報の当該時間的範囲時刻に設定する時間的範囲時刻設定ステップとを有し、前記認証タグ選定ステップは、前記送信時刻及び前記受信時刻が前記時間的範囲時刻である当該認証タグを前記処理対象に選定することを特徴としている。
【００２２】
また、請求項１５記載の発明は、認証タグ選定プログラムに係り、コンピュータに請求項１０乃至１４の何れか１に記載の認証タグ選定方法を実行させることを特徴としている。
【発明の効果】
【００２３】
本発明によれば、以下の（１）〜（３）の効果を得ることができる。
（１）情報処理装置にて、無線端末（認証タグ）に要求信号を送信してから認証タグからの認証情報を受け付けるまでの通信時間の計測を行っているため、処理対象外の認証タグと無線端末との通信が行われても、情報処理装置はアンテナの近辺の所定の通過位置にある物品の認証タグが処理対象となり、その他は処理対象外となる。
（２）処理対象は、物品の通過位置に設置された物品のみに限定されるため、作業者は、その物品の数のみ把握すれば良く、管理作業の簡素化が見込まれる。
（３）製造ライン等では通過待ちの他の台車の物品や製造ライン以外の物品を電波の届かない場所まで退避させていたが、これらの物品は、処理対象外になるため、退避させる必要なく、作業の効率化を図ることができる。
【発明を実施するための最良の形態】
【００２４】
以下に、図面を参照して、本発明の実施の形態について説明する。
実施の形態
本発明である認証タグ選定システムを製造ラインに適用する例について説明する。
図１は製造ラインでの物品の入出荷処理の運用例１を示しており、認証タグ選定システムの概要構成図である。製造ライン１の台車２には、物品を収納した複数の包装体のそれぞれにＲＦＩＤタグ（認証タグ）３が添付され積載されている。このＲＦＩＤタグ３とアンテナ４４ａ、４４ｂ、４４ｃを介して無線通信を行うリーダ・ライタ（無線端末）４と、台車２の通過位置の両端に設置され、台車２の通過を検知するセンサ６ａ、６ｂと、リーダ・ライタ４と接続され、リーダ・ライタ４からのＲＦＩＤ３の認証情報が送信されるパソコン（情報処理装置）７と、パソコン７からの認証情報が送信されるサーバ８とから概略構成されている。以下、各構成について、ＲＦＩＤタグ３、リーダ・ライタ４、センサ６ａ、６ｂ、パソコン７、サーバ８の順に説明する。
【００２５】
ＲＦＩＤタグ３は、リーダ・ライタ４によって情報の読み書きが行われる無線ＩＣであり、製造ライン１を通過する物品に添付され、通信内容のエンコード・デコード等を行う制御部、物品を特定した物品コードが設定された認証情報等を記憶する記憶部、電源供給や情報送受信用のアンテナから構成されている。
【００２６】
リーダ・ライタ４は、ＲＦＩＤタグ３に記憶されている情報の読み書きを行う無線端末装置であり、図２のリーダ・ライタ４の構成ブロック図に示すように、制御部４１、通信部４２、タイマー部４３、アンテナ４４ａ、４４ｂ、４４ｃ等から構成されている。
アンテナ４４ａ、４４ｂ、４４ｃは、ＲＦＩＤタグ３に対して電波を送受信するアンテナであり、物品が製造ラインを通過する所定の位置を進行方向に沿って、入口と出口とを設け、入口と出口とに囲まれた左右の側面と上面とにそれぞれアンテナ４４ａ、４４ｂ、４４ｃが設置されている。
制御部４１は、所定の制御プログラムに従って構成各部を制御する。
タイマー部４３は、ＲＦＩＤタグの認証情報に送信時刻や受信時刻を設定する際に、使用される。
通信部４２は、所定のプロトコルに従ってデータ通信を行い、ＲＦＩＤタグ３に認証情報を送信させるためのパソコン７からの要求信号を受信し、ＲＦＩＤタグ３へ送信時刻を付加した要求信号（送信電波５ａ）をアンテナ４４ａ、４４ｂ、４４ｃを介して送信する送信通信部４２ａ（要求信号送信手段）と、ＲＦＩＤタグ３からの要求信号に対する受信時刻を付加した認証情報（受信電波５ｂ）をアンテナ４４ａ、４４ｂ、４４ｃを介して受信する受信通信部４２ｂ（認証情報受信手段）とから構成され、受信した認証情報をパソコン７に送信する。
上記の制御部４１や通信部４２は、ＲＯＭ(Read Only Memory)やＲＡＭ(Random Access Memory)等に記憶されたプログラムを実行する。
【００２７】
センサ７、８は、光センサ、音波センサ、扉型センサ等であり、台車２に積載された物品が製造ライン１の所定の通過位置を通過する際に検知するセンサであり、制御部、通信部、記憶部等から構成されている。
制御部は、所定の制御プログラムに従って構成各部を制御する。
通信部は、所定のプロトコルに従ってデータ通信を行い、センサ６ａ、６ｂを識別したセンサ番号を付加した検知信号をパソコンに送信する。
記憶部６３は、センサ毎のセンサ番号がＲＯＭやＲＡＭ等に記憶されている。
上記の制御部、通信部は、ＲＯＭやＲＡＭ等に記憶されたプログラムを実行する。
また、図１に示すように、製造ラインの入口に設置したセンサ６ａは台車の進入を検知し、台車進入時刻（送信時刻）をパソコン７に通知する開始検知センサであり、出口に設置したセンサ６ｂは台車の退出を検知し、台車退出時刻（受信時刻）をパソコン７に通知する終了検知センサである。
センサ６ａ、６ｂは、台車２に積載された物品が入口と出口を通過する際に、通過を検知し、センサ６ａ、６ｂを識別したセンサ番号を付加した検知信号をパソコン７に送信する（検知信号送信手段）。
【００２８】
パソコン７は、一般的なパーソナルコンピュータであって、図３のパソコン７の構成ブロック図に示すように、所定の制御プログラムに従って構成各部を制御する制御部７１（ＣＰＵ）、所定のプロトコルに従ってデータ通信を行うための通信部７２、ハードディスク（ＨＤ）やＲＡＭ等のメモリである記憶部７３、その他、入力装置や出力装置等、一般的なコンピュータが有する構成を備えている。
記憶部７３には、ＲＦＩＤタグ３の中から処理対象のＲＦＩＤタグ３を選定するための各種処理プログラムや各種データが記憶されている。
【００２９】
各種処理プログラムとしては、要求信号送信プログラム７３ａ、認証情報受信プログラム７３ｂ、通信時間計測プログラム７３ｃ、入退時刻設定プログラム７３ｄ、認証タグ選定プログラム７３ｅ、認証タグ選定結果情報送信プログラム７３ｆ等のプログラムが記憶されている。
要求信号送信プログラム７３ａは、センサ６ａ、６ｂからのセンサ番号を付加した検知信号を受け付けて、リーダ・ライタ４に対して、ＲＦＩＤタグ３に認証情報を送信させるための要求信号を送信するプログラムである（要求信号送信手段）。
認証情報受信プログラム７３ｂは、リーダ・ライタ４からの要求信号に対する認証情報を受け付けるプログラムである。受信した認証には、リーダ・ライタ４からＲＦＩＤタグ３へ要求信号を送信した送信時刻と、要求信号に対してリーダ・ライタ４がＲＦＩＤタグ３からの認証情報を受け付けた受信時刻とが設定されている。
通信時間計測プログラム７３ｃは、リーダ・ライタ４に要求信号を送信してからＲＦＩＤタグ３からの認証情報を受け付けるまでの通信時間を、認証情報に設定されている送信時刻と受信時刻とに基づいて、計測するプログラムである（通信時間計測手段）。
入退時刻設定プログラム７３ｄは、センサ６ａからの台車進入時刻（要求信号を送信した送信時刻）と、センサ６ｂからの台車退出時刻（認証情報を受信した受信時刻）とを時間的範囲情報７３ｇに設定するプログラムである（時間的範囲時刻設定手段）。
認証タグ選定プログラム７３ｅは、計測した通信時間が時間的範囲、かつ、時間的範囲時刻であるか否かを判定して、ＲＦＩＤタグ３を処理対象に選定するプログラムである（認証タグ選定手段）。
認証タグ選定結果情報送信プログラム７３ｆは、処理対象のＲＦＩＤタグ３の情報が設定された認証タグ選定結果情報をサーバ８に送信するプログラムである。
各種データとして、時間的範囲情報７３ｇ等の情報が記憶されている。
時間的範囲情報７３ｇには、予め、通信時間の時間的範囲、時間的範囲時刻（要求信号を送信した送信時刻から認証情報を受信した受信時刻まで）等の情報が設定されている。
【００３０】
サーバ８は、生産ライン１における各パソコンからの各種情報を収集するサーバコンピュータであって、所定の制御プログラムに従って構成各部を制御する制御部８１（ＣＰＵ）、所定のプロトコルに従ってデータ通信を行うための通信部８２、ハードディスク（ＨＤ）やＲＡＭ等のメモリである記憶部８３、その他、入力装置や出力装置等、一般的なコンピュータが有する構成を備えている。
記憶部８３には、パソコン７からの認証タグ選定結果情報を受信するプログラムや受信した認証タグ選定結果情報がデータベース化されて記憶されている。
【００３１】
次に、認証タグ選定システムの動作ついて、図４のフローチャートを参照して説明する。
センサ６ａは、台車２に積載された物品が入口を通過する際に、通過を検知し、センサ６ａを識別したセンサ番号を付加した検知信号をパソコン７に送信する（ステップＡ１：検知信号送信手段）。
パソコン７は、センサ６ａからのセンサ番号を付加した検知信号を受け付けて、ＲＦＩＤタグ３に認証情報を送信させるための要求信号をリーダ・ライタ４に送信すると共に、時間的範囲情報７３ｇの時間的範囲時刻をクリアして、センサ６ａの台車進入時刻を時間的範囲情報７３ｇの時間的範囲時刻の台車進入時刻に設定する（ステップＡ２：要求信号送信手段、時間的範囲時刻設定手段）。
リーダ・ライタ４は、パソコン７からのＲＦＩＤタグ３に認証情報を送信させるための要求信号を受信し、送信時刻を付加した要求信号をアンテナ４４ａ、４４ｂ、４４ｃを介してＲＦＩＤタグ３に送信する（ステップＡ３）。
ＲＦＩＤタグ３からの送信時刻が付加されている要求信号に対する認証情報をアンテナ４４ａ、４４ｂ、４４ｃを介して受信し、受信した認証情報に受信時刻を付加してパソコン７に送信する（ステップＡ４）。
パソコン７は、リーダ・ライタ４からの要求信号に対する認証情報を受け付ける（ステップＡ５：認証情報受信手段）。
センサ６ｂからのセンサ番号を付加した検知信号を受け付けて、台車退出時刻を時間的範囲情報７３ｇの時間的範囲時刻の台車退出時刻に設定する（ステップＡ６：時間的範囲時刻設定手段）。
リーダ・ライタ４に要求信号を送信してからＲＦＩＤタグ３からの認証情報を受け付けるまでの通信時間を、認証情報に設定されている送信時刻と受信時刻とに基づいて、計測する（ステップＡ７：通信時間計測手段）。
計測した通信時間が時間的範囲情報７３ｇの時間的範囲、かつ、時間的範囲時刻であるか否かを判定して、処理対象のＲＦＩＤタグ３を選定する（ステップＡ８：認証タグ選定手段）。
通信時間が時間的範囲である場合はステップＡ５で受信した認証情報を認証タグ選定結果情報としてサーバ８に送信し（ステップＡ９）、ステップＡ１０へ進む。通信時間が時間的範囲、かつ、時間的範囲時刻でない場合はステップＡ５で受信した認証情報を破棄し、ステップＡ２に戻り、次のセンサ６ａからの検知信号の受信を待つ。
サーバ８は、パソコン７からの認証タグ選定結果情報を受信してデータベースに登録する（ステップＡ１０）。
図５の運用例２の運用図に示すような製造ライン１を通過中の台車２の次に通過予定のＲＦＩＤタグ９や図６の運用例３の運用図に示すような製造ライン以外に設置してあるＲＦＩＤタグ１０とアンテナ４４ａ、４４ｂ、４４ｃ間で通信した場合は、認証情報がパソコン７内で破棄され、サーバ８へは送信されない。
【００３２】
この実施の形態によれば、以下の（１）〜（３）の効果を得ることができる。
（１）ＲＦＩＤタグ３に要求信号を送信してからＲＦＩＤタグ３からの認証情報を受け付けるまでの通信時間の計測をパソコン７が行っているため、処理対象外のＲＦＩＤタグ３とリーダ・ライタ４との通信が行われても、パソコン７はアンテナ４４ａ、４４ｂ、４４ｃの近辺の所定の通過位置にある物品のＲＦＩＤタグ３が処理対象となり、その他は処理対象外となる。
（２）物品の通過位置に複数のアンテナ４４ａ、４４ｂ、４４ｃを設置することによって、通過位置から離れた処置対象以外の他のＲＦＩＤタグ９、１０よりも、処理対象のＲＦＩＤタグ３の方に受信精度の強化を図り、より確実に選別することができる。その結果、処理対象は、物品の通過位置に設置された物品のみに限定されるため、作業者は、その物品の数のみ把握すれば良く、管理作業の簡素化が見込まれる。
（３）物品の通過開始位置と通過終了位置の両端にセンサ６ａ、６ｂを設置することによって、他のＲＦＩＤタグ９、１０よりも、処理対象のＲＦＩＤタグの方に受信契機の強化を図り、より確実に選別することができる。その結果、製造ライン１等では通過待ちの他の台車の物品（ＲＦＩＤタグ９が添付された物品）や製造ライン以外の物品（ＲＦＩＤタグ１０が添付された物品）を電波（送信電波５ａ、受信電波５ｂ）の届かない場所まで退避させていたが、これらの物品は、処理対象外になるため、退避させる必要なく、作業の効率化を図ることができる。また、予め、通信時間の時間的範囲を設定する際に、製造ライン１での台車進入時刻及び台車退出時刻から測定した実績時間を参考にして設定することができ、システム運用も便利である。
【００３３】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
【００３４】
例えば、上述の実施の形態では、ＲＦＩＤタグ３の認証情報にリーダ・ライタ４からの送信時刻や受信時刻を付加して送受信を行うようにしたが、この送信時刻や受信時刻は、パソコン７からの送信時刻（パソコン７がリーダ・ライタ４に要求信号を送信した送信時刻）や受信時刻（パソコン７がリーダ・ライタ４から認証情報を受信した受信時刻）を設定するようにしてもよい。
また、上述の実施の形態は、その目的及び構成などに特に矛盾や問題がない限り、互いの技術を流用することができる。
【図面の簡単な説明】
【００３５】
【図１】本発明の実施の形態における認証タグ選定システムの運用例１の概要構成図である。
【図２】同システムのリーダ・ライタ４の構成ブロック図である。
【図３】同システムのパソコン７の構成を示すブロック図である。
【図４】同システムの動作を示すフローチャートである。
【図５】同システムの運用例２を示す運用図である。
【図６】同システムの運用例３を示す運用図である。
【符号の説明】
【００３６】
１  製造ライン
２  台車
３、９、１０  ＲＦＩＤタグ
４  リーダ・ライタ
４１  制御部
４２  通信部
４３  タイマー部
４４ａ、４４ｂ、４４ｃ  アンテナ
５ａ  送信電波
５ｂ  受信電波
６ａ、６ｂ  センサ
６１  制御部
６２  通信部
６３  記憶部
７  パソコン
７１  制御部
７２  通信部
７３  記憶部
７３ａ  要求信号送信プログラム
７３ｂ  認証情報受信プログラム
７３ｃ  通信時間計測プログラム
７３ｄ  入退時刻設定プログラム
７３ｅ  認証タグ選定プログラム
７３ｆ  認証タグ選定結果情報送信プログラム
７３ｇ  時間的範囲情報
８  サーバ
８１  制御部
８２  通信部
８３  記憶部
【図１】
2008243091.tif 000003
【図２】
2008243091.tif 000004
【図３】
2008243091.tif 000005
【図４】
2008243091.tif 000006
【図５】
2008243091.tif 000007
【図６】
2008243091.tif 000008